(57)【要約】使用者がチケットを受け取りに行ったり、チケットの業者がチケットを郵送したりする必要なく、容易かつ迅速にチケットを譲渡することができる電子チケット発行システムを提供する。本発明は、チケット予約情報を送信するための携帯可能な使用者用端末（１１０）と、使用者によるチケット予約情報を受信し、電子チケット発行情報を使用者用端末に送信するための業者用端末（１２０）と、入場ゲートに備えられ、前記使用者用端末に格納された電子チケット発行情報を読み取るための読取手段を有する会場用端末（１３０）と、を有し、前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取ることを特徴とする、電子チケット発行システムである。
2002033612.tif 000002
【特許請求の範囲】
【請求項１】
電子チケット発行システムにおいて、携帯可能な使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取ることを特徴とする、電子チケット発行システム。
【請求項２】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取ることを特徴とする、電子チケット発行システム。
【請求項３】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取ることを特徴とする、電子チケット発行システム。
【請求項４】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可することを特徴とする、電子チケット発行システム。
【請求項５】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可することを特徴とする、電子チケット発行システム。
【請求項６】
電子チケット発行システムにおいて、チケット予約情報を送信するための携帯可能な使用者用端末からチケット予約情報を受信するための受信部と、電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、電子チケットが発行されている旨の情報及び／又は予約されている座席指定の情報が前記使用者用端末に表示されることを特徴とする、電子チケット発行システム。
【請求項７】
前記業者用端末が情報入力装置と中央処理装置とを含み、前記情報入力装置は、前記使用者用端末からチケット予約情報及び使用者識別符号を受信し、又はチケット予約情報及び使用者識別符号を直接入力され、受信され又は入力されたチケット予約情報及び使用者識別符号を前記中央処理装置に送信し、チケット予約情報及び使用者識別符号を受信した前記中央処理装置は、それらの情報を格納し、該チケットを利用する際、前記会場用端末の前記入力手段によって前記使用者識別符号を入力し、前記会場用端末は入力された前記使用者識別符号を前記中央処理装置に送信し、前記中央処理装置は送信された前記使用者識別符号を照会して前記使用者識別符号がチケットを予約した者の使用者識別符号であることを確認し、それをもって入場を許可することを特徴とする、請求項４又は請求項５に記載の電子チケット発行システム。
【請求項８】
前記使用者用端末が、パーソナルコンピュータ、インターネット機器、通常の電話、携帯電話、無線通信装置、双方向情報伝達可能なテレビ、電子ブック、携帯電子装置、又はカーナビゲーションシステムの何れかであることを特徴とする、請求項１、請求項２、請求項４又は請求項６に記載の電子チケット発行システム。
【請求項９】
前記電子的媒体が電子的情報を記録することができるカードであることを特徴とする、請求項２又は請求項３に記載の電子チケット発行システム。
【請求項１０】
前記使用者識別符号が、業者が発行した使用者識別カード又は電子的媒体の符号、クレジットカードの符号、デビットカードの符号、運転免許証の符号、使用者の生体的特徴、又はパスポートの符号の何れかであることを特徴とする、請求項４又は請求項５に記載の電子チケット発行システム。
【請求項１１】
前記使用者用端末が、携帯型パーソナルコンピュータ、携帯型インターネット機器、携帯電話、携帯無線通信装置、電子ブック、携帯電子装置、又は携帯用ナビゲーションシステムの何れかであり、該使用者用端末が使用者識別符号を記憶しており、前記会場用端末の前記入力手段が、前記使用者用端末に記憶されている前記使用者識別符号を読み取ることを特徴とする、請求項４に記載の電子チケット発行システム。
【請求項１２】
前記会場用端末の前記入力手段に、業者が発行した使用者識別カードの符号、電子的媒体の符号、クレジットカードの符号、デビットカードの符号、運転免許証の符号、又はパスポートの符号を読み取らせることによって使用者識別符号を入力することを特徴とする、請求項４又は請求項５に記載の電子チケット発行システム。
【請求項１３】
前記会場用端末の前記読取手段に前記電子的媒体を挿入することによって電子チケット発行情報を読み取ることを特徴とする、請求項２、請求項３又は請求項９に記載の電子チケット発行システム。
【請求項１４】
前記会場用端末の前記読取手段と前記電子的媒体が非接触で交信することによって電子チケット発行情報を読み取ることを特徴とする、請求項２、請求項３又は請求項９に記載の電子チケット発行システム。
【請求項１５】
前記会場用端末の前記読取手段と前記使用者用端末が非接触で交信することによって電子チケット発行情報を読み取ることを特徴とする、請求項１、請求項４又は請求項８に記載の電子チケット発行システム。
【請求項１６】
前記会場用端末の前記読取手段と前記使用者用端末が直接接続されることによって電子チケット発行情報を読み取ることを特徴とする、請求項１、請求項４又は請求項８に記載の電子チケット発行システム。
【請求項１７】
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、請求項２乃至請求項５の何れか１項に記載の電子チケット発行システム。
【請求項１８】
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、請求項２乃至請求項５の何れか１項に記載の電子チケット発行システム。
【請求項１９】
チケットの発行を受けている旨の情報及び／又は予約されている座席指定の情報が、チケット発行情報を格納している使用者用端末に表示されることを特徴とする、請求項１、請求項２、請求項４、請求項６、請求項８、請求項１１、請求項１２、請求項１５又は請求項１６に記載の電子チケット発行システム。
【請求項２０】
前記チケット発行情報を格納した使用者用端末及び／又は電子的媒体から、別の使用者用端末及び／又は電子的媒体にチケット発行情報を移すことができることを特徴とする、請求項１乃至請求項３、請求項６、請求項８、請求項１３乃至請求項１９の何れか１項に記載の電子チケット発行システム。
【請求項２１】
使用者がチケットを予約して、前記中央処理装置に前記チケット予約情報及び前記使用者識別符号が格納された後に、前記使用者の必要に応じて、前記使用者識別符号を他の者の使用者識別符号に変更することができることを特徴とする、請求項４、諸求項５、請求項８、請求項１０乃至請求項１２、及び請求項１５乃至請求項２０の何れか１項に記載の電子チケット発行システム。
【請求項２２】
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、上記の請求項の何れか１項に記載の電子チケット発行システム。
【請求項２３】
チケット予約情報及び／又は使用者識別符号の業者用端末への入力が、使用者の希望に応じて業者用端末を操作するオペレータによってなされるように前記業者用端末が構成されていることを特徴とする、上記の請求項の何れか１項に記載の電子チケット発行システム。
【請求項２４】
使用者が使用者用端末を介して、音声認識手段によって、チケット予約情報及び／又は使用者識別符号を業者用端末に入力するように、前記使用者用端末及び前記業者用端末が構成されていることを特徴とする、請求項１乃至請求項２２の何れか１項に記載の電子チケット発行システム。
【請求項２５】
前記会場用端末がプリンタを更に有し、物理的なチケット及び／又は指定席券を入場者に発行するように構成されていることを特徴とする、上記の請求項の何れか１項に記載の電子チケット発行システム。
【請求項２６】
前記使用者用端末、前記業者用端末、前記会場用端末、及び／又は前記中央処理装置が、暗号化手段を更に有し、チケット予約情報及び／又は電子チケット発行情報を暗号化して送受信し、又は記憶するように構成されていることを特徴とする、上記の請求項の何れか１項に記載の電子チケット発行システム。
【請求項２７】
前記使用者用端末から前記業者用端末にチケット予約情報を送信する際、チケット代金の支払いに関する情報も併せて送信されることを特徴とする、上記の請求項の何れか１項に記載の電子チケット発行システム。
【発明の詳細な説明】
〔技術分野〕
本発明は電子チケットの発行システムに関し、特に、電子的媒体を使用した映画、コンサート、スポーツ等のイベントの入場券、及び飛行機、船舶、電車、バス等の搭乗券若しくは乗車券の電子チケット発行システムに関する。
〔背景技術〕
現在、イベントの入場券や乗物の乗車券等の販売は、イベント会場や駅等における直接販売、若しくは電話予約などによる予約販売によって行われている。イベント等の入場券の典型的な予約販売システムでは、まず、使用者がチケット予約センターに電話をかけ、入場したいイベントの種類、日付、席のランク等を予約センターのオペレーターに告げてチケットを予約する。この際、オペレーターから使用者に予約番号が伝えられる。使用者は最寄りのチケット引換所に行き、予約番号を提示する。チケット引換所では予約番号が確認され、チケットが発行される。使用者はチケットを受け取り、チケット代金を支払う。
別の予約システムでは、予約センターに電話をかけてチケットを予約する際に、チケット代金の振込先口座番号が使用者に伝えられ、使用者による代金の振込が確認されるとチケットが使用者に郵送される。
前記のチケット予約販売システムでは、使用者はチケットを予約した後で、チケット引換所にチケットを受け取りに行かなければならないという不便がある。また、チケットが郵送されてくるチケット予約システムでは、電話をかけて予約する際に、自己の住所、氏名をオペレーターに伝えなければならないという不便もある。また、イベントの開催期日の直前に予約をする場合には、チケット引換所にチケットを受け取りに行くことができる期間が非常に短くなる。また、チケットが郵送される場合には、郵送の遅延によってチケットがイベントの前に到達しない恐れもある。
また、紙に印刷された従来のチケットでは、チケットを印刷する手間がかかり、チケットを印刷するための紙資源の無駄遣いでもある。更に、紙に印刷されたチケットを保管しておくと、そのチケットが盗難に遭う危険があり、また、紙のチケットは偽造され、そのチケットが出回る恐れもある。
本発明の目的は、使用者がチケットを受け取りに行ったり、チケットの業者がチケットを郵送したりする必要なく、容易かつ迅速にチケットを譲渡することができる電子チケット発行システムを提供することにある。
〔発明の開示〕
本発明は、電子チケット発行システムにおいて、携帯可能な使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取ることを特徴とする、電子チケット発行システムである。
この構成では、使用者は、使用者用端末を使用して業者用端末を備えた業者に購入を希望するチケットの種類、枚数等のチケット予約情報を送信する。チケット予約情報を受信した業者はチケット予約情報に応じて、チケット発行情報を業者用端末から使用者用端末に送信する。業者用端末から送信されたチケット発行情報は使用者用端末の記憶部に格納される。チケットを利用する際には、使用者は使用者用端末をイベント会場等に持参する。会場の入場ゲート等には、電子チケット発行情報を読み取るための読取手段を有する会場用端末が備えられ、該読取手段によって使用者の持参した使用者用端末から電子チケット発行情報を読み取る。使用者の使用者用端末に適正な電子チケット発行情報が格納されていることが確認されると、入場ゲートの係員は入場を許可する。
本発明は又、電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取ることを特徴とする、電子チケット発行システムである。
この構成では、使用者用端末は電子的媒体の接続が可能であり、使用者用端末に格納された電子チケット発行情報を該電子的媒体に移すことができる。電子的媒体に格納された電子チケット発行情報の使用法は前述の構成と同じである。
本発明は、更に、電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取ることを特徴とする、電子チケット発行システムである。
この構成では、使用者が業者用端末の備えられたチケット予約ステーション等直接行って電子的媒体に格納された電子チケット発行情報を購入する。電子的媒体に格納された電子チケット発行情報の使用法は、前記の構成の場合と同様である。
本発明は又、電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可することを特徴とする、電子チケット発行システムである。
この構成では、使用者は使用者用端末によってチケット予約情報を業者用端末に送信し、同時に、使用者識別符号も業者用端末に送信する。これらのチケット予約情報及び使用者識別符号は業者用端末に記録される。使用者が電子チケットを利用する際には、会場用端末の備えられた入場ゲートで先に送信した使用者識別符号を提示する。提示された使用者識別符号は会場用端末に入力される。会場用端末は業者用端末と交信することによって、入力された使用者識別符号を有する者がチケットを予約しているか否かを照会する。チケットが予約されていることが確認されると、入場ゲートの係員が入場を許可する。
本発明は、更に、電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可することを特徴とする、電子チケット発行システムである。
この構成では、使用者は、業者用端末の備えられたチケット予約ステーション等に直接行って、チケット予約情報及び使用者識別符号を業者用端末に入力させる。予約したチケットの利用方法は前記の構成と同様である。
本発明は又、チケット予約情報を送信するための携帯可能な使用者用端末からチケット予約情報を受信し、電子チケット発行情報を前記使用者用端末に送信するための業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、電子チケットが発行されている旨の情報及び／又は予約されている座席指定の情報が前記使用者用端末に表示されることを特徴とする、電子チケット発行システムである。
この構成では、使用者は、使用者用端末を使用して業者用端末を備えた業者にチケット予約情報を送信する。チケット予約情報を受信した業者は、電子チケット発行情報を業者用端末から使用者用端末に送信する。送信された電子チケット発行情報は使用者用端末の記憶部に記憶される。チケットを利用する際には、使用者用端末に電子チケット発行情報が格納されていることを、会場の入場ゲートで使用者用端末の表示部に表示させる。会場の係員は使用者用端末の表示を確認し、入場を許可する。
また、業者用端末を情報入力装置と中央処理装置によって構成し、情報入力装置に入力されたチケット予約情報及び使用者識別符号を中央処理装置に送信して記録させ、会場用端末が中央処理装置と交信することによりチケットが予約されていることを確認するように構成しても良い。
前記使用者用端末には、パーソナルコンピュータ、インターネット機器、通常の電話、携帯電話、無線通信装置、双方向情報伝達可能なテレビ、電子ブック、携帯電子装置、又はカーナビゲーションシステム等を使用することができる。
前記使用者識別符号には、業者が発行した使用者識別カード又は電子的媒体の符号、クレジットカードの符号、デビットカードの符号、運転免許証の符号、使用者の生体的特徴又はパスポートの符号等を利用することができる。
前記使用者用端末を、携帯型パーソナルコンピュータ、携帯型インターネット機器、携帯電話、携帯無線通信装置、電子ブック、携帯電子装置、又は携帯用ナビゲーションシステム等にし、該使用者用端末に使用者識別符号を記憶させ、前記会場用端末の前記入力手段に、前記使用者用端末に記憶されている前記使用者識別符号を読み取らせても良い。
業者が発行した使用者識別カードの符号、電子的媒体の符号、クレジットカードの符号、デビットカードの符号、運転免許証の符号、又はパスポートの符号等を、前記会場用端末の前記入力手段に読み取らせることによって使用者識別符号を入力しても良い。
前記会場用端末の前記読取手段に前記電子的媒体を挿入することによって電子チケット発行情報を読み取らせても良く、また、前記会場用端末の前記読取手段と前記電子的媒体が非接触で交信することによって電子チケット発行情報を読み取らせても良い。
前記会場用端末の前記読取手段と前記使用者用端末が非接触で交信することによって電子チケット発行情報を読み取らせても良く、また、前記会場用端末の前記読取手段と前記使用者用端末が直接接続されることによって電子チケット発行情報を読み取らせても良い。
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じるように構成しても良い。
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられても良い。この構成により入場者の流れを円滑にすることができる。
チケットの発行を受けている旨の情報及び／又は予約されている座席指定の情報が、チケット発行情報を格納している使用者用端末に表示されるようにしても良い。
前記チケット発行情報を格納した使用者用端末及び／又は電子的媒体から、別の使用者用端末及び／又は電子的媒体に電子チケット発行情報を移すことができるようにしても良い。
使用者がチケットを予約して、前記中央処理装置に前記チケット予約情報及び前記使用者識別符号が格納された後に、前記使用者の必要に応じて、前記使用者識別符号を他の者の使用者識別符号に変更することができるように構成しても良い。
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末を構成しても良い。
チケット予約情報及び／又は使用者識別符号の業者用端末への入力が、使用者の希望に応じて業者用端末を操作するオペレータによってなされるように前記業者用端末を構成しても良い。
使用者が使用者用端末を介して、音声認識手段によって、チケット予約情報及び／又は使用者識別符号を業者用端末に入力するように、前記使用者用端末及び前記業者用端末を構成しても良い。
前記会場用端末がプリンタを更に有し、物理的なチケット及び／又は指定席券を入場者に発行するように、会場用端末を構成しても良い。
前記使用者用端末、前記業者用端末、前記会場用端末、及び／又は前記中央処理装置が、暗号化手段を更に有し、チケット予約情報及び／又は電子チケット発行情報を暗号化して送受信し、又は記憶するように構成しても良い。
前記使用者用端末から前記業者用端末にチケット予約情報を送信する際、チケット代金の支払いに関する情報を併せて送信しても良い。
〔発明を実施するための最良の形態〕
図１に本発明の第１の実施形態を示す。第１の実施形態による電子チケット発行システム１００は、端末送信部１１２、端末受信部１１４及び記憶部１１６を含む携帯可能な使用者用端末１１０と、受信部１２２及び送信部１２４を含む業者用端末１２０と、電子チケット発行情報を読み取るための読取手段１３２を含む会場用端末１３０とを有する。
チケットの購入を希望する使用者は、使用者用端末１１０の端末送信部１１２から業者用端末１２０の受信部１２２にチケット予約情報を送信する。この送信は、例えば、使用者用端末１１０に携帯電話の機能を組み込み、電話回線によって予約を希望するチケットを、業者用端末１２０を操作するオペレータに伝えることによって行っても良い。オペレータは、使用者の希望を受けて、業者用端末１２０の送信部１２４から使用者用端末１１０の端末受信部１１４に電子チケット発行情報を送信する。使用者用端末１１０の端末受信部１１４は、業者用端末１２０からの電子チケット発行情報を受信し、該電子チケット発行情報を使用者用端末１１０の記憶部１１６に格納する。
使用者が発行された電子チケットを使用する際には、使用者が使用者用端末１１０を、例えば、先にチケットを予約したイベントの会場に持参する。イベント会場の入場ゲートには会場用端末１３０が備えられており、使用者用端末１１０の記憶部１１６に記憶された電子チケット発行情報を、会場用端末１３０に設けられた読取手段１３２で読み取る。読取手段１３２で読み取ることにより、電子チケット発行情報が確認されたならば、ゲートの係員が使用者に入場を許可する。
上記の使用者用端末１１０の機能は、携帯電話ばかりでなく、パーソナルコンピュータ、インターネット機器、無線通信装置、電子ブック、携帯電子装置、携帯用ナビゲーションシステム等に組み込んでも良い。また、使用者用端末１１０から業者用端末１２０へのチケット予約情報の送信は、オペレータによる操作ばかりでなく、音声認識手段、携帯電話のダイヤルボタン等を利用した情報送信手段等によって自動的に行われるようにしても良い。
入場ゲートにおける電子チケット発行情報の読取りは、使用者用端末１１０を会場用端末１３０の読取手段１３２にケーブル等で接続し、若しくは、使用者用端末１１０を読取手段１３２に直接挿入し、或いは、非接触で交信することにより行っても良い。また、入場ゲートを自動的に開閉するゲートにしておき、電子チケット発行情報が確認された場合にゲートが開き、そうでない場合にはゲートが開かないように構成することもできる。さらに、会場用端末１３０にプリンタを接続しておき、読み取られた電子チケット発行情報に基づいて紙等の物理的なチケット、及び／又は指定席券を発行するようにしても良い。また、イベント会場の席が指定席である場合には、電子チケット発行情報の中に座席指定の情報を含ませておき、該座席指定の情報を使用者用端末１１０の表示部（図示せず）に表示して、各入場者の席を識別できるようにしても良い。
なお、本明細書において「会場」とは、コンサート等のイベント会場ばかりでなく、搭乗券、乗車券等を持っている者だけが入ることができる航空機、電車、船舶等の乗り場等も意味するものとし、「入場」とは、前記の「会場」に入ることを意味するものとする。
次に、本発明の第２の実施形態について説明する。以下に説明する各実施形態については、先に説明された他の実施形態とは異なる部分のみについて説明し、同様に適用できる部分の説明は省略する。なお、図面中の同様の構成要素については百の位の数字を書き換えて同様の参照番号を付している。
図２に、第２の実施形態による電子チケット発行システム２００を示す。電子チケット発行システム２００は、電子的情報を記録することができる電子的媒体２４０と、電子的媒体と接続することができる使用者用端末２１０と、業者用端末２２０と、会場用端末２３０と、を有する。使用者は使用者用端末２１０を使用して、業者用端末２２０から電子チケット発行情報を受信し、該発行情報を記憶部２１６に記憶する。使用者は、電子的媒体２４０を使用者用端末２１０に接続することによって、記憶部２１６に記憶されている電子チケット発行情報を電子的媒体２４０にコピーする。電子チケット発行情報が電子的媒体２４０にコピーされると、記憶部２１６に記憶されていた電子チケット発行情報は消去される。
発行された電子チケットを、使用者が使用するときは、電子チケット発行情報を記憶させた電子的媒体２４０を会場に持参する。会場の入場ゲートでは、電子的媒体２４０に記録された電子チケット発行情報を会場用端末２３０の読取手段２３２によって読み取ることによって入場を許可する。
本実施形態の場合には、持ち運ぶことができない機器、例えば、一般の電話や、デスクトップ形のパーソナルコンピュータ等にも使用者用端末の機能を組み込むことができる。
電子的媒体２４０として、電子チケット発行システムを使用する業者が発行した電子情報記録可能なカードや、携帯可能な電子機器、例えば、携帯電話、パーソナルコンピュータ、インターネット機器、無線通信装置、電子ブック、携帯用ナビゲーションシステム等を使用することができる。
会場の入場ゲートの一方の側に、電子的媒体２４０を挿入するための挿入口を設け、入場ゲートの他方の側に、挿入された電子的媒体２４０を取り出すための取出口を設けておき、前記挿入口に挿入された電子的媒体２４０に記録されている電子チケット発行情報を読取手段２３２により読み取り、適正な電子チケット発行情報が記録されている場合にのみ入場ゲートが開くように構成しても良い。この構成により、会場に出入りする人の流れを円滑にすることができる。
また、使用者用端末２１０又は電子的媒体２４０に記録された電子チケット発行情報を他の使用者用端末又は電子的媒体に移すことができるように構成しても良い。
次に、本発明の第３の実施形態について説明する。図３に、第３の実施形態による電子チケット発行システム３００を示す。電子チケット発行システム３００は、電子的媒体３４０と、電子的媒体に電子チケット発行情報を書き込むことができる業者用端末３２０と、会場用端末３３０と、を有する。
使用者はチケットの予約をする際、業者用端末３２０を備えたチケット予約ステーションに行く。チケット予約ステーションにおいて、業者用端末３２０の書込部３２６を使用して電子的媒体３４０に電子チケット予約情報を書き込む。
電子チケットを使用するときは、電子的媒体３４０に記録された電子チケット予約情報を会場用端末３３０の読取手段３３２によって読み取らせ、会場に入場する。
次に、本発明の第４の実施形態について説明する。図４に、第４の実施形態による電子チケット発行システム４００を示す。電子チケット発行システム４００は、使用者用端末４１０と、使用者用端末４１０からチケット予約情報及び使用者識別符号を受信することができる業者用端末４２０と、業者用端末４２０と双方向に交信することができる会場用端末４３０と、を有する。
使用者は、チケットの予約をする際、使用者用端末４１０の端末送信部４１２から業者用端末４２０の受信部４２２にチケット予約情報及び使用者識別符号を送信する。該チケット予約情報及び使用者識別符号は、業者用端末４２０のデータ記録部４２６に記録される。
イベント会場等に入場する際、使用者は、会場用端末４３０が設けられている入場ゲートで、先に業者用端末４２０に送信した使用者識別符号を入力する。会場用端末の送信部４３４は、入力された使用者識別符号を業者用端末４２０の受信部４２２に送信する。業者用端末４２０は受信した使用者識別符号をデータ記録部４２６に記録された使用者識別符号と照合し、チケットが予約されているか否かを確認する。チケットが予約されていることが確認されると、業者用端末４２０の送信部４２４は、その旨を会場用端末４３０の受信部４３６に送信する。入場ゲートの係員は、チケットが予約されていることを確認すると使用者に入場を許可する。
使用者識別符号としては、業者が発行した使用者識別カード又は電子的媒体の符号、クレジットカードの符号、デビットカードの符号、運転免許証の符号、又はパスポートの符号等を使用することができる。また、使用者用端末４１０に使用者の指紋や虹彩等の生体的特徴を読み取るためのスキャナー（図示せず）を設けておき、スキャナー（図示せず）によって読み取られた生体的特徴を使用者識別符号として使用しても良い。この場合には、会場用端末４３０にも使用者の生体的特徴を読み取るためのスキャナー（図示せず）を設けておく。
また、会場用端末４３０に使用者識別符号を読み取るための読取手段４３２を設けておき、上記のクレジットカードの符号等を読取手段４３２によって読み取らせ、自動的に業者用端末４２０と交信してチケット予約情報を照会するように構成しても良い。また、使用者用端末４１０に使用者識別符号を予め記憶させておき、該使用者識別符号を読取手段４３２によって読み取るように構成しても良い。本明細書では、上記のように読取手段４３２によって使用者識別符号を読み取らせること、及び、使用者の提示した使用者識別符号を、係員が会場用端末４３０に直接入力することを総称して「使用者識別符号の入力」と呼ぶことにする。
また、使用者が予約したチケット予約情報と共に業者用端末４２０のデータ記録部４２６に記録されている使用者識別符号を、予約の手続きが完了した後で他の者の使用者識別符号に変更することができるように電子チケット発行システム４００を構成しても良い。この構成により、チケット仲介業者が一度に大量にチケットを予約しておき、後に、最終消費者がチケット仲介業者からチケットを購入したならば、データ記録部４２６に記録されている仲介業者の使用者識別符号を最終消費者の使用者識別符号に変更することで、電子チケットを譲渡することが可能になる。
更に、業者用端末４２０を、情報入力装置（図示せず）及び中央処理装置（図示せず）から構成することもできる。この場合には、業者用端末４２０の情報入力装置（図示せず）が使用者用端末４１０から受信したチケット予約情報及び使用者識別符号を中央処理装置（図示せず）に送信し、中央処理装置（図示せず）はそれらの情報を記録する。チケットを使用する際、会場用端末４３０は、使用者が提示した使用者識別符号を中央処理装置（図示せず）に照会し、チケットが予約されているか否かを確認する。チケットが予約されていることが確認されると、会場の係員が入場を許可する。複数の情報入力装置が１台の中央処理装置（図示せず）に対して送受信を行うように構成するのが良い。
次に、本発明の第５の実施形態について説明する。図５に、第５の実施形態による電子チケット発行システム５００を示す。電子チケット発行システム５００は、業者用端末５２０と、会場用端末５３０と、を有する。第５の実施形態は、チケットを予約する使用者が、業者用端末５２０を備えたチケット予約ステーションに直接行って、チケット予約情報及び使用者識別符号を通知すること以外は、第４の実施形態と全く同様である。
次に、本発明の第６の実施形態について説明する。図６に、第６の実施形態による電子チケット発行システム６００を示す。電子チケット発行システム６００は、使用者用端末６１０と、業者用端末６２０と、を有する。使用者は、使用者用端末６１０から電子チケット予約情報を業者用端末６２０に送信し、業者用端末６２０は電子チケット発行情報を使用者用端末６１０に送信する。電子チケット発行情報を受信した使用者用端末６１０は、電子チケット発行情報を記憶部６１６に記憶する。電子チケットを使用するときは、電子チケット発行情報を使用者用端末６１０の表示部６１８に表示させ、会場の入場ゲートの係員にそれを提示する。電子チケット発行情報の表示を確認した係員は入場を許可する。
上記の全ての実施形態による電子チケット発行システムは、使用者に有償、無償で譲渡される全ての種類のチケットに適用することができる。電子チケットが有償で譲渡される場合には、本発明の実施形態による電子チケット発行システムに、現金、クレジットカード、デビットカード等、在来の任意の代金支払方法を組合せることができる。
また、付加的な機能として、使用者がチケットを予約する前に、静止画、動画及び／又は音声の情報を含む広告、予告編、又はチケットに関するその他の情報を、業者用端末から使用者用端末に送り、使用者がそれらの情報を使用者用端末で見ることができるように電子チケット発行システムを構成しても良い。また、使用者用端末、業者用端末、会場用端末、及び／又は中央処理装置が取扱うチケット予約情報及び／又は電子チケット発行情報を暗号化して送受信できるように、使用者用端末、業者用端末、及び／又は、会場用端末に暗号化手段を設けても良い。
以上、本発明の好ましい実施形態を説明したが、本発明の範囲又は精神から逸脱することなく、特許請求の範囲に記載された技術的事項の範囲内において、開示した実施形態に種々の変更を加えることができる。
〔産業上の利用可能性〕
本発明の電子チケット発行システムにより、使用者がチケットを受け取りに行ったり、チケットの業者がチケットを郵送したりする必要なく、容易かつ迅速にチケットを譲渡することができる。
【図面の簡単な説明】
図１は、本発明の第１の実施形態による電子チケット発行システムの構成図である。
図２は、本発明の第２の実施形態による電子チケット発行システムの構成図である。
図３は、本発明の第３の実施形態による電子チケット発行システムの構成図である。
図４は、本発明の第４の実施形態による電子チケット発行システムの構成図である。
図５は、本発明の第５の実施形態による電子チケット発行システムの構成図である。
図６は、本発明の第６の実施形態による電子チケット発行システムの構成図である。
【図１】
2002033612.tif 000003
【図２】
2002033612.tif 000004
【図３】
2002033612.tif 000005
【図４】
2002033612.tif 000006
【図５】
2002033612.tif 000007
【図６】
2002033612.tif 000008
【手続補正書】
【提出日】平成14年8月19日(2002.8.19)
【手続補正１】
【補正対象書類名】明細書
【補正対象項目名】特許請求の範囲
【補正方法】変更
【補正の内容】
【特許請求の範囲】
【請求項１】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取ることを特徴とする、電子チケット発行システム。
【請求項２】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認するシステムであって、
前記使用者識別符号が、業者が発行した使用者識別カード又は電子的媒体の符号、クレジットカードの符号、デビットカードの符号、運転免許証の符号、使用者の生体的特徴、又はパスポートの符号の何れかであることを特徴とする、電子チケット発行システム。
【請求項３】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認するシステムであって、
前記使用者識別符号が、業者が発行した使用者識別カード又は電子的媒体の符号、クレジットカードの符号、デビットカードの符号、運転免許証の符号、使用者の生体的特徴、又はパスポートの符号の何れかであることを特徴とする、電子チケット発行システム。
【請求項４】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末の前記入力手段に、業者が発行した使用者識別カードの符号、電子的媒体の符号、クレジットカードの符号、デビットカードの符号、運転免許証の符号、又はパスポートの符号を読み取らせることによって使用者識別符号を入力することを特徴とする、電子チケット発行システム。
【請求項５】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末の前記入力手段に、業者が発行した使用者識別カードの符号、電子的媒体の符号、クレジットカードの符号、デビットカードの符号、運転免許証の符号、又はパスポートの符号を読み取らせることによって使用者識別符号を入力することを特徴とする、電子チケット発行システム。
【請求項６】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項７】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項８】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可することを特徴とする、システムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項９】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項１０】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１１】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステム、であって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１２】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１３】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１４】
電子チケット発行システムにおいて、携帯可能な使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取るシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１５】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１６】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１７】
電子チケット発行システムにおいて、チケット予約情報を送信するための携帯可能な使用者用端末からチケット予約情報を受信するための受信部と、電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、電子チケットが発行されている旨の情報及び／又は予約されている座席指定の情報が前記使用者用端末に表示されるシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１８】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約して、前記中央処理装置に前記チケット予約情報及び前記使用者識別符号が格納された後に、前記使用者の必要に応じて、前記使用者識別符号を他の者の使用者識別符号に変更することができることを特徴とする、電子チケット発行システム。
【請求項１９】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約して、前記中央処理装置に前記チケット予約情報及び前記使用者識別符号が格納された後に、前記使用者の必要に応じて、前記使用者識別符号を他の者の使用者識別符号に変更することができることを特徴とする、電子チケット発行システム。
【請求項２０】
電子チケット発行システムにおいて、携帯可能な使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取るシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２１】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２２】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２３】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２４】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２５】
電子チケット発行システムにおいて、チケット予約情報を送信するための携帯可能な使用者用端末からチケット予約情報を受信するための受信部と、電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、電子チケットが発行されている旨の情報及び／又は予約されている座席指定の情報が前記使用者用端末に表示されるシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２６】
削除
【請求項２７】
削除
【手続補正書】
【提出日】平成14年8月19日(2002.8.19)
【手続補正１】
【補正対象書類名】明細書
【補正対象項目名】特許請求の範囲
【補正方法】変更
【補正の内容】
【特許請求の範囲】
【請求項１】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取ることを特徴とする、電子チケット発行システム。
【請求項２】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認するシステムであって、
前記使用者識別符号が、業者が発行した使用者識別カード又は電子的媒体の符号、クレジットカードの符号、デビットカードの符号、運転免許証の符号、使用者の生体的特徴、又はパスポートの符号の何れかであることを特徴とする、電子チケット発行システム。
【請求項３】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認するシステムであって、
前記使用者識別符号が、業者が発行した使用者識別カード又は電子的媒体の符号、クレジットカードの符号、デビットカードの符号、運転免許証の符号、使用者の生体的特徴、又はパスポートの符号の何れかであることを特徴とする、電子チケット発行システム。
【請求項４】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末の前記入力手段に、業者が発行した使用者識別カードの符号、電子的媒体の符号、クレジットカードの符号、デビットカードの符号、運転免許証の符号、又はパスポートの符号を読み取らせることによって使用者識別符号を入力することを特徴とする、電子チケット発行システム。
【請求項５】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末の前記入力手段に、業者が発行した使用者識別カードの符号、電子的媒体の符号、クレジットカードの符号、デビットカードの符号、運転免許証の符号、又はパスポートの符号を読み取らせることによって使用者識別符号を入力することを特徴とする、電子チケット発行システム。
【請求項６】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項７】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項８】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可することを特徴とする、システムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項９】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、開閉可能なゲートとを更に有し、前記挿入口に挿入した者が入場資格を有する場合には前記ゲートが開き、入場資格を有しない場合にはゲートが閉じることを特徴とする、電子チケット発行システム。
【請求項１０】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１１】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステム、であって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１２】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１３】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
前記会場用端末が、電子チケット発行情報又は使用者識別符号を記録した、業者が発行した使用者識別カード、電子的媒体、クレジットカード、デビットカード、運転免許証、又はパスポートを挿入するための挿入口と、それらを取り出すための取出し口とを有し、前記挿入口が入場口の一方の側に設けられ、前記取出し口が入場口の他方の側に設けられたことを特徴とする、電子チケット発行システム。
【請求項１４】
電子チケット発行システムにおいて、携帯可能な使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取るシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１５】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１６】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１７】
電子チケット発行システムにおいて、チケット予約情報を送信するための携帯可能な使用者用端末からチケット予約情報を受信するための受信部と、電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、電子チケットが発行されている旨の情報及び／又は予約されている座席指定の情報が前記使用者用端末に表示されるシステムであって、
前記チケット発行情報を格納した使用者用端末及び／又は電子的媒体から、別の使用者用端末及び／又は電子的媒体にチケット発行情報を移すことができることを特徴とする、電子チケット発行システム。
【請求項１８】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約して、前記中央処理装置に前記チケット予約情報及び前記使用者識別符号が格納された後に、前記使用者の必要に応じて、前記使用者識別符号を他の者の使用者識別符号に変更することができることを特徴とする、電子チケット発行システム。
【請求項１９】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約して、前記中央処理装置に前記チケット予約情報及び前記使用者識別符号が格納された後に、前記使用者の必要に応じて、前記使用者識別符号を他の者の使用者識別符号に変更することができることを特徴とする、電子チケット発行システム。
【請求項２０】
電子チケット発行システムにおいて、携帯可能な使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、前記会場用端末の前記読取手段が、前記使用者用端末に格納された前記電子チケット発行情報を読み取るシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２１】
電子チケット発行システムにおいて、携帯可能な電子的媒体を接続することができる使用者用端末からチケット予約情報を受信するための受信部と、受信したチケット予約情報に基づいて、読取手段を有する会場用端末に読み取らせるための電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記使用者用端末によって受信された前記電子チケット発行情報は、前記使用者用端末に接続された前記電子的媒体に記憶され、該電子チケットを利用する際に、前記会場用端末の前記読取手段が、前記電子的媒体に記憶された前記電子チケット発行情報を読み取るシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２２】
電子チケット発行システムにおいて、読取手段を有する会場用端末に読み取らせるための電子チケット発行情報を、携帯可能な電子的媒体に格納させるための業者用端末を有し、
使用者がチケットを予約する際、または予約した後、前記電子的媒体は前記業者用端末に接続され、前記業者用端末が前記電子的媒体に電子チケット発行情報を記憶させ、該電子チケットを利用する際に、前記会場用端末の前記読取手段が、前記電子的媒体に格納された前記電子チケット発行情報を読み取るシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２３】
電子チケット発行システムにおいて、使用者用端末からチケット予約情報及び使用者識別符号を受信するための受信部と、受信したチケット予約情報及び使用者識別符号を記録するための記録部と、使用者識別符号を入力するための入力手段を有する会場用端末に情報を伝達するための送信部と、を含む業者用端末を有し、
チケットを予約する際、前記業者用端末は前記使用者用端末からチケット予約情報及び使用者識別符号を受信し、前記業者用端末は受信したチケット予約情報及び使用者識別符号を格納し、該チケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２４】
電子チケット発行システムにおいて、入力されたチケット予約情報及び使用者識別符号を記録するための記録部と、使用者識別符号を入力するための入力手段を有する会場用端末から情報を受信するための受信部と、会場用端末に情報を送信するための送信部と、を含む業者用端末を有し、
チケットを予約する際、またはチケットを予約した後、チケット予約情報及び使用者識別符号を前記業者用端末に入力し、前記業者用端末は入力されたチケット予約情報及び使用者識別符号を格納し、使用者がチケットを利用する際、前記会場用端末の前記入力手段によって前記使用者識別符号を入力し、前記会場用端末は入力された前記使用者識別符号を前記業者用端末に送信し、前記業者用端末は送信された前記使用者識別符号を照会して前記使用者識別符号がチケットを予約した者の使用者識別符号であることを確認し、それをもって入場を許可するシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【請求項２５】
電子チケット発行システムにおいて、チケット予約情報を送信するための携帯可能な使用者用端末からチケット予約情報を受信するための受信部と、電子チケット発行情報を前記使用者用端末に送信するための送信部と、を含む業者用端末を有し、
前記業者用端末は、前記使用者用端末から受信したチケット予約情報に基づいて前記使用者用端末に前記電子チケット発行情報を送信し、前記電子チケット発行情報は前記使用者用端末に格納され、該電子チケットを利用する際に、電子チケットが発行されている旨の情報及び／又は予約されている座席指定の情報が前記使用者用端末に表示されるシステムであって、
使用者がチケットを予約する前に、静止画、動画及び／又は音声の情報を含む広告、又は予告編を、業者用端末から使用者用端末に送り、使用者がそれらの情報を使用者用端末で見ることができるように前記使用者用端末及び前記業者用端末が構成されていることを特徴とする、電子チケット発行システム。
【国際調査報告】
2002033612.tif 000009
2002033612.tif 000010
2002033612.tif 000011
2002033612.tif 000012
2002033612.tif 000013